(57)【要約】【課題】トラックやバスにおける自動制動制御を実現する。【解決手段】対象物と自車との相対距離および相対速度とに基づき導出されるＴＴＣが設定値を下回ったときに自動的に、時系列的に複数段階にわたり制動力または制動減速度を徐々に増大させる段階的な制動制御を行う。このときに、段階的な制動制御の実行中に運転者の急制動操作を検出したときには段階的な制動制御を中止して所定の制動力または制動減速度（例えば、自車が有する最大の制動力または制動減速度）により制動を実行する。この際に、運転者の急制動操作を、単に自動制動制御にそのまま優先させるのではなく、運転者の行う急制動操作よりもさらに急峻に所定の制動力または制動減速度を発揮させる。【選択図】  図１
2007320474.tif 000002
【特許請求の範囲】
【請求項１】
自車の進行方向に有る対象物との距離を含むセンサ出力に基づき運転操作がなくとも自動的に制動制御を行う制御手段を備え、前記制御手段は、前記センサ出力により得られた前記対象物と自車との相対距離および相対速度とに基づき導出される前記対象物と自車とが所定距離以下となるまでに要する予測時間が設定値を下回ったときに自動的に、時系列的に複数段階にわたり制動力または制動減速度を徐々に増大させる段階的な制動制御を行う段階的制動制御手段を備えた自動制動制御装置において、
運転者による急制動操作を検出する急制動操作検出手段が設けられ、
前記段階的制動制御手段は、前記段階的な制動制御の実行中に前記急制動操作検出手段が運転者による急制動操作を検出したときには前記段階的な制動制御を中止して所定の制動力または制動減速度により制動を実行する制動割り込み手段を備えた
ことを特徴とする自動制動制御装置。
【請求項２】
前記所定の制動力または制動減速度は、自車が有する最大の制動力または制動減速度である請求項１記載の自動制動制御装置。
【請求項３】
前記制動割り込み手段は、前記段階的な制動制御を中止して所定の制動力または制動減速度により制動を実行する際には、自車が有する最大の制動力または制動減速度上昇率により制動力または制動減速度を上昇させる手段を備えた請求項１または２記載の自動制動制御装置。
【請求項４】
自車速が所定値未満であり、操舵角あるいはヨーレイトのとる値が所定範囲外であるときには、前記段階的制動制御手段の起動を禁止する手段を備えた請求項１ないし３のいずれかに記載の自動制動制御装置。
【発明の詳細な説明】
【技術分野】
【０００１】
本発明は、貨物や乗客を輸送するための大型車（トラック、バス）に利用する。
【背景技術】
【０００２】
自動車の電子制御化は、日進月歩で進歩し、これまでは運転者の判断のみに頼っていた事象についても車載したコンピュータによって行われるようになった。
【０００３】
その一つの例として、先行車と自車との間の距離（車間距離）をレーダによって監視し、車間距離が異常に接近した場合には、自動的に適切な制動制御を行い、万が一の衝突時に、その被害を小さく抑えるという自動制動制御装置がある（例えば、特許文献１参照）。
【０００４】
【特許文献１】特開２００５−３１９６７号公報
【発明の開示】
【発明が解決しようとする課題】
【０００５】
上述した自動制動制御装置は、乗用車においては既に実用化されつつあるが、同様の機能を、貨物や乗客を輸送するための大型車（トラック、バス）に利用しようとしたときに、解決しなければならない問題がある。
【０００６】
すなわち、大型車は乗用車と比較して質量がきわめて大きく、また、運転者自身の安全の他に、乗客や貨物の安全を確保しなければならず、乗用車の自動制動制御で行われているような単純な急制動制御だけでは所期の目的を達成することは困難であり、乗用車の場合と比較してより高度な自動制動制御を行う必要がある。しかし、そのような手段が確立されていないため、トラックやバスにおける自動制動制御装置は未だ実用化されていない。
【０００７】
本発明は、このような背景の下に行われたものであって、トラックやバスにおける自動制動制御を実現することができる自動制動制御装置を提供することを目的とする。
【課題を解決するための手段】
【０００８】
本発明は、自車の進行方向に有る対象物との距離を含むセンサ出力に基づき運転操作がなくとも自動的に制動制御を行う制御手段を備え、前記制御手段は、前記センサ出力により得られた前記対象物と自車との相対距離および相対速度とに基づき導出される前記対象物と自車とが所定距離以下となるまでに要する予測時間が設定値を下回ったときに自動的に、時系列的に複数段階にわたり制動力または制動減速度を徐々に増大させる段階的な制動制御を行う段階的制動制御手段を備えた自動制動制御装置である。
【０００９】
前記対象物と自車との相対距離および相対速度とに基づき導出される前記対象物と自車とが所定距離以下となるまでに要する予測時間とは、例えば、対象物と自車とが衝突するまでに要する予測時間（以下では、ＴＴＣ(Time To Collision)と呼ぶ）である。
【００１０】
これにより、複数の段階にわたり制動力または制動減速度を徐々に増大させる制動制御を行うことができ、トラックやバスなどの大型車に適した制動制御を行うことができる。
【００１１】
ここで、本発明の特徴とするところは、運転者による急制動操作を検出する急制動操作検出手段が設けられ、前記段階的制動制御手段は、前記段階的な制動制御の実行中に前記急制動操作検出手段が運転者による急制動操作を検出したときには前記段階的な制動制御を中止して所定の制動力または制動減速度により制動を実行する制動割り込み手段を備えたところにある。
【００１２】
すなわち、本発明の自動制動制御装置は、運転者の居眠りや脇見による注意力の欠如を補間する目的があり、通常は、そのような状況下（すなわち運転者の注意力欠如状態）に適した制動パターンが適用されるが、自動制動制御を行っているときに、運転者による急制動操作が有れば、運転者が自車の急制動の必要性を認識していることがわかるので、そのような状況下（すなわち運転者の注意力が欠如していない状態）に適した制動パターンに変更することが望ましい。
【００１３】
そこで、本発明では、運転者による急制動操作を検出する手段を備え、前記段階的な制動制御の実行中に運転者による急制動操作が検出されたときには、所定の制動力または制動減速度により制動を実行する。所定の制動力または制動減速度とは、例えば、自車が有する最大の制動力または制動減速度である。
【００１４】
この際に、本発明の制動制御では、運転者による急制動操作を、単に自動制動制御にそのまま優先させるのではなく、運転者の行う急制動操作よりもさらに急峻に所定（例えば、最大）の制動力または制動減速度を発揮させる制動制御を行うことができる。すなわち、前記制動割り込み手段は、前記段階的な制動制御を中止して所定の制動力または制動減速度により制動を実行する際には、自車が有する最大の制動力または制動減速度上昇率により制動力または制動減速度を上昇させる手段を備えることができる。
【００１５】
また、自車速が所定値未満であり、操舵角あるいはヨーレイトのとる値が所定範囲外であるときには、前記段階的制動制御手段の起動を禁止する手段を備えることができる。
【００１６】
すなわち、本発明の自動制動制御装置が行う段階的制動制御は、例えば、制動制御開始以前の自車速が６０ｋｍ／ｈ以上であり、車線変更中や急カーブ走行中などのような大きなハンドル操作を行っていない状態での使用を想定しているため、それ以外の走行状態では、段階的制動制御の起動を制限することができる。
【００１７】
例えば、制動制御開始以前の自車速が６０ｋｍ／ｈ未満であれば、車両の有する運動エネルギは少ないため、従来から乗用車に適用されているような単純な急制動制御を行っても支障はないので、段階的制動制御の起動を制限する。また、例えば、制動制御開始以前の操舵角が＋３０度以上あるいは−３０度以下であれば、これは車線変更中や急カーブ走行中であるので、段階的制動制御の適用事象外であり起動を制限する。この場合には、操舵角の代わりにヨーレイトを用いてもよい。
【発明の効果】
【００１８】
本発明によれば、トラックやバスにおける自動制動制御を実現することができる。特に、自動制動制御開始以降に運転者による急制動操作が有るときと無いときとで制動パターンを変更し、そのときの状況に適した自動制動制御を行うことができる。
【発明を実施するための最良の形態】
【００１９】
本発明実施例の自動制動制御装置を図１ないし図１３を参照して説明する。図１は本実施例の制御系統構成図である。図２は制動制御ＥＣＵが有する空積時の制動パターンを示す図である。図３は通常制動操作時および急制動操作時のブレーキペダルストロークを示す図である。図４は急制動操作検出部における急制動操作検出手順を示すフローチャートである。図５は通常急制動時および緊急制動時のブレーキ圧上昇率を示す図である。図６は警報制動段階において緊急制動が割り込んだ場合の制動パターンを示す図である。図７は拡大領域制動段階において緊急制動が割り込んだ場合の制動パターンを示す図である。図８は本格制動段階において緊急制動が割り込んだ場合の制動パターンを示す図である。図９は本格制動において緊急制動が割り込んだ場合の制動パターンを示す図である。図１０は制動制御ＥＣＵが有する半積時の制動パターンを示す図である。図１１は制動制御ＥＣＵが有する定積時の制動パターンを示す図である。図１２は制動制御ＥＣＵが有する本格制動パターンを示す図である。図１３は空積時の制動パターンにおける制動制御ＥＣＵ(Electric Control Unit)の制御手順を示すフローチャートである。
【００２０】
図１に示すように、制動制御ＥＣＵ４、ゲートウェイＥＣＵ５、メータＥＣＵ６、エンジンＥＣＵ８、軸重計９、ＥＢＳ(Electric Breaking System)＿ＥＣＵ１０はＶｅｈｉｃｌｅＣＡＮ（Ｊ１９３９）７を介してそれぞれ接続される。
【００２１】
また、ステアリングセンサ２、ヨーレイトセンサ３、車速センサ１３、ブレーキ操作センサ１４は、ゲートウェイＥＣＵ５を介してＶｅｈｉｃｌｅＣＡＮ（Ｊ１９３９）７にそれぞれ接続され、これらのセンサ情報は、制動制御ＥＣＵ４に取り込まれる。また、ブレーキ制御は、ＥＢＳ＿ＥＣＵ１０がブレーキアクチュエータ１１を駆動することによって行われる。なお、ＥＢＳ＿ＥＣＵ１０に対するブレーキ指示は、運転席（図外）のブレーキ操作および制動制御ＥＣＵ４によって行われる。運転者によるブレーキ操作の情報を含むブレーキ情報もＥＢＳ＿ＥＣＵ１０が出力して制動制御ＥＣＵ４に取り込まれる。エンジンＥＣＵ８は、エンジン１２の燃料噴射量制御その他のエンジン制御を行う。なお、エンジンＥＣＵ８に対する噴射量制御指示は運転席のアクセル操作によって行われる。また、制動制御ＥＣＵ４により出力された警報表示やブザー音がメータＥＣＵ６により運転席の表示部（図示省略）に表示される。ステアリングセンサ２以外の操舵に関連する制御系統は本発明とは直接関係が無いので図示を省略した。
【００２２】
本実施例は、図１に示すように、自車の進行方向に有る先行車あるいは落下物などの対象物との距離を測定するミリ波レーダ１、操舵角を検出するためのステアリングセンサ２、ヨーレイトを検出するためのヨーレイトセンサ３、自車速を検出するための車速センサ１３などのセンサ出力に基づき運転操作がなくとも自動的に制動制御を行う制動制御ＥＣＵ４を備えた自動制動制御装置である。
【００２３】
制動制御ＥＣＵ４は、ミリ波レーダ１および車速センサ１３からのセンサ出力により得られた前記対象物と自車との相対距離および相対速度とに基づき導出されるＴＴＣが設定値を下回ったときに自動的に段階的な制動制御を行う。この段階的制動制御は、図２、図１０、図１１に示すように、時系列的に三段階にわたり制動力を徐々に増大させる。
【００２４】
制動制御ＥＣＵ４は、図２（ｂ）の例では、まず、「警報」と記された第一段階で、０．１Ｇ程度の制動をＴＴＣ２．４秒から１．６秒までかける。この段階では、未だ、いわゆる急制動がかかった状態にはなっておらず、ストップランプが点灯することにより後続車に対し、これから急制動が行われることを知らせることができる。続いて、「拡大領域制動」と記された第二段階で、０．３Ｇ程度の制動をＴＴＣ１．６秒から０．８秒までかける。最後に、「本格制動」と記された第三段階で、最大の制動（０．５Ｇ程度）をＴＴＣ０．８秒から０秒までかける。
【００２５】
ここで、本実施例の特徴とするところは、運転者による急制動操作を検出する急制動操作検出部４０が設けられ、制動制御ＥＣＵ４は、前記段階的な制動制御の実行中に急制動操作検出部４０が運転者による急制動操作を検出したときには前記段階的な制動制御を中止して所定の制動力により制動を実行することを特徴とする。本実施例では、所定の制動力を、自車が有する最大の制動力とする。この最大の制動力は段階的制動制御における「本格制動」の制動力に相当する。
【００２６】
また、運転者の制動操作は、ＥＢＳ＿ＥＣＵ１０に対するブレーキ指示として作用し、通常は、運転者のブレーキペダルの踏み込み量に比例してＥＢＳ＿ＥＣＵ１０が適切にブレーキアクチュエータ１１の制動力を調整する。本実施例では、急制動操作検出部４０が、段階的制動制御が開始された後における運転者の急制動操作を検出した場合には、制動制御ＥＣＵ４は、ＥＢＳ＿ＥＣＵ１０に対し、最大の制動力上昇率により緊急制動を行うように指示する。
【００２７】
ここで、急制動操作検出部４０における急制動操作検出手順を図３および図４を参照して説明する。図３は横軸に時間（秒）をとり、縦軸にブレーキペダルストローク（ｍｍ）をとる。図３（ａ）の通常制動操作時と図３（ｂ）の急制動操作時とを比べると、ブレーキペダルのストロークが例えば０（ｍｍ）から最大ストロークに達するまでの時間は、図３（ｂ）に示した急制動操作時の方が図３（ａ）に示した通常制動操作時と比較して著しく短いことがわかる。よって、急制動操作検出部４０は、図４に示すように、ブレーキ操作センサ１４のブレーキ操作情報からブレーキペダルストロークを監視し（Ｓ１）、ブレーキペダルストロークが例えば０（ｍｍ）から最大ストロークに達するまでの時間が閾値以下であるときには（Ｓ２）、急制動操作検出（Ｓ３）と判断する。
【００２８】
次に、ＥＢＳ＿ＥＣＵ１０がブレーキアクチュエータ１１を駆動する際のブレーキ圧上昇率を図５を参照して説明する。ブレーキ圧上昇率は制動力上昇率に反映される。図５は横軸に時間（秒）をとり、縦軸にブレーキ圧（ｋｇ／ｃｍ2）をとる。図５（ａ）に示す通常の急制動時のブレーキ圧上昇率は、運転者の急制動操作によるブレーキ圧上昇率である。これに対し、図５（ｂ）に示す緊急制動時のブレーキ圧上昇率は、運転者の急制動操作よりもさらに急峻なブレーキ圧上昇率になる。
【００２９】
本実施例では、急制動操作検出部４０が段階的制動制御開始以後において運転者の急制動操作を検出したときには、制動制御ＥＣＵ４は、ＥＢＳ＿ＥＣＵ１０に対し、運転者のブレーキペダル踏み込み量とは無関係に図５（ｂ）に示すブレーキ圧上昇率によってブレーキアクチュエータ１１を駆動するように指示する。
【００３０】
次に、段階的制動制御開始以後に運転者の急制動操作が検出された場合の制動パターンの例を図６、図７、図８、図９を参照して説明する。図６の例では、ＴＴＣ＝２．４秒から「警報」制動制御が開始され、その直後に運転者による急制動操作が検出されて緊急制動が開始されている。また、図７の例では、ＴＴＣ＝１．６秒から「拡大領域」制動制御が開始され、その直後に運転者による急制動操作が検出されて緊急制動が開始されている。図８の例では、ＴＴＣ＝０．８秒から「本格制動」制御が開始され、その直後に運転者による急制動操作が検出されて緊急制動が開始されている。緊急制動が開始されない場合には破線のとおりの段階的制動制御が実行される予定であった。
【００３１】
また、後述するように、制動制御開始以前の自車速が６０ｋｍ／ｈ未満であり１５ｋｍ／ｈ以上である場合には、段階的制動制御は行わないが、本格制動制御のみは実施することとする。このような場合に、図９の例では、ＴＴＣ＝０．８秒から「本格制動」制御が開始され、その直後に運転者による急制動操作が検出されて緊急制動が開始されている。
【００３２】
また、本実施例では図２、図１０、図１１に示すように、制動パターン選択部４１は、積載貨物や乗客の重量に応じて制動パターンを選択する。選択する方法としては、制動制御ＥＣＵ４の制動パターン記憶部４２に、「空積時」、「半積時」、「定積時」における制御パターンを複数記憶しておき、制動パターン選択部４１は、重量に応じてこれらの制動パターンから適合（または近似）する制動パターンを選択することにより実現できる。積載貨物や乗客の重量情報は、図１に示す軸重計９によって得られ、制動制御ＥＣＵ４に取り込まれる。ここで等しい制動力同士で比べれば、積載貨物や乗客の重量が増すにつれて制動距離も長くなるため、積載貨物や乗客の重量が増すにつれて自動制動制御の開始タイミングも早くなっている。
【００３３】
なお、以下の説明では、先行車を対象として説明するが、本実施例の自動制動制御装置は、道路上の落下物などに対しても有効である。
【００３４】
また、自車速が６０ｋｍ／ｈ未満であり、操舵角が＋３０度以上あるいは−３０度以下であるときには、制動制御ＥＣＵ４は、段階的制動制御の起動を禁止する。なお、操舵角に代えてヨーレイトを用いることもできる。
【００３５】
すなわち、本実施例の自動制動制御装置が行う段階的制動制御は、制動制御開始以前の自車速が６０ｋｍ／ｈ以上であり、車線変更中や急カーブ走行中などのような大きなハンドル操作を行っていない状態での使用を想定しているため、それ以外の走行状態では、段階的制動制御の起動を制限することができる。
【００３６】
また、制動制御開始以前の自車速が６０ｋｍ／ｈ未満であれば、車両の有する運動エネルギは少ないため、従来から乗用車に適用されているような単純な急制動制御を行っても支障はなく、段階的制動制御を実施する有用性は低いので、段階的制動制御の起動を制限する。または、制動制御開始以前の操舵角が＋３０度以上あるいは−３０度以下であれば、これは車線変更中や急カーブ走行中であるので、段階的制動制御の適用事象外であり段階的制動制御の起動を制限する。この場合には、操舵角の代わりにヨーレイトを用いてもよい。
【００３７】
本実施例では、制動制御開始以前の自車速が６０ｋｍ／ｈ未満であり１５ｋｍ／ｈ以上である場合には、段階的制動制御は行わないが、図１２に示すように、図２、図１０、図１１に示す本格制動制御のみは実施することとする。このような本格制動制御のみを実施する場合は、乗用車に用いられている従来の自動制動制御と同等の制動制御を適用することができる。なお、このような従来と同等の自動制動制御を適用する場合には車線変更中や急カーブ走行中であるか否かを判断するステップは必要ない。
【００３８】
次に、図２に示す空積時の制動パターンが選択されている場合の本実施例の自動制動制御装置の動作を図１３のフローチャートを参照しながら説明する。図１３は空積時（図２）の制動パターンを例にとって説明を行うが、半積時（図１０）または定積時（図１１）においても図１３のフローチャートの手順に準じる。図１３に示すように、制動制御ＥＣＵ４は、先行車との車間距離および先行車の車速をミリ波レーダ１により測定して監視する。また、自車速を車速センサ１３により測定して監視する。さらに、軸重計９により積載貨物や乗客の重量を測定して監視する。また、制動制御ＥＣＵ４の急制動操作検出部４０はブレーキ操作センサ１４のブレーキ操作情報から急制動操作を監視する。制動制御ＥＣＵ４の制動パターン選択部４１は、当該重量の測定結果に基づき制動パターン（図２、図１０、図１１）のいずれかを予め選択する（Ｓ１１）。以下の説明は、図２の制動パターンを選択した例である。
【００３９】
続いて、制動制御ＥＣＵ４は、車間距離、自車速、先行車の車速によりＴＴＣを計算する（Ｓ１２）。計算方法は、
車間距離／（自車速−先行車の車速）
である。制動制御ＥＣＵ４は、制動制御開始以前の自車速が６０ｋｍ／ｈ以上であり（Ｓ１３）、制動制御開始以前の操舵角が＋３０度以下であり−３０度以上であり（Ｓ１４）、ＴＴＣが図２（ａ）に示す（１）の領域にあれば（Ｓ１５）、「警報」制動制御を実行するが（Ｓ２０）、ここで、急制動操作検出部４０が運転者による急制動操作を検出したときには（Ｓ１８）、「警報」制動制御を中止して緊急制動を実行する（Ｓ１９）。この様子は図６に示したとおりである。また、ＴＴＣが図２（ａ）に示す（２）の領域にあれば（Ｓ１６）、「拡大領域制動」制御を実行するが（Ｓ２１）、ここで、急制動操作検出部４０が運転者による急制動操作を検出したときには（Ｓ１８）、「拡大領域」制動制御を中止して緊急制動を実行する（Ｓ１９）。この様子は図７に示したとおりである。また、ＴＴＣが図２（ａ）に示す（３）の領域にあれば（Ｓ１７）、「本格制動」制御を実行するが（Ｓ２２）、ここで、急制動操作検出部４０が運転者による急制動操作を検出したときには（Ｓ１８）、「本格制動」制御を中止して緊急制動を実行する（Ｓ１９）。この様子は図８に示したとおりである。
【００４０】
また、制動制御開始以前の自車速が６０ｋｍ／ｈ未満１５ｋｍ／ｈ以上であり（Ｓ１３、Ｓ２３）、ＴＴＣが図２（ｃ）に示す（４）の領域にあれば（Ｓ２４）、制動制御ＥＣＵ４は、運転者に対して先行車との相対距離が近いことを報知する（Ｓ２５）。報知は、警報表示やブザー音により行う。さらに、ＴＴＣが図２（ｃ）に示す（５）の領域にあれば（Ｓ２６）、「本格制動」制御を実行するが（Ｓ２６）、ここで、急制動操作検出部４０が運転者による急制動操作を検出したときには（Ｓ１８）、「本格制動」制御を中止して緊急制動を実行する（Ｓ１９）。この様子は図９に示したとおりである。
【００４１】
ここで、図２、図１０、図１１について説明する。図２、図１０、図１１における直線ｃ、ｆ、ｉは、操舵回避限界直線と呼ばれるものである。また、図２、図１０、図１１における曲線Ｂ、Ｄ、Ｆは、制動回避限界曲線と呼ばれるものである。
【００４２】
すなわち、操舵回避限界直線とは、障害物までの一つの相対距離および障害物との一つの相対速度の関係において、所定のＴＴＣ以内にハンドル操作によって衝突を回避可能な限界を示す直線である。また、制動回避限界曲線とは、障害物までの一つの相対距離および障害物との一つの相対速度の関係において、所定のＴＴＣ以内に制動操作によって衝突を回避可能な限界を示す曲線である。
【００４３】
図２、図１０、図１１において、これらの直線または曲線の下側の領域の内、双方が共に関わる領域では、もはやハンドル操作によってもブレーキ操作によっても衝突を回避することはできない。
【００４４】
例えば、図２の空積時の例では、直線ｃは、ＴＴＣが０．８秒に設定されている。本実施例では、操舵回避限界直線ｃの上側に、ＴＴＣが１．６秒である場合の直線ｂを設け、ＴＴＣが２．４秒である場合の直線ａを設ける。また、ＴＴＣが０．８秒に設定された制動回避限界曲線Ｂの上側に、ＴＴＣが１．６秒に設定された曲線Ａを設ける。
【００４５】
当初の車両の状態は、図２の黒点Ｇに示す障害物との相対距離および相対速度を有している。制動制御開始以前の自車速が６０ｋｍ／ｈ以上であるときに、次第に相対距離が短くなり、直線ａの位置に来たときには、警報モードとなる（領域（１））。警報モードでは、０．１Ｇ程度の制動をＴＴＣ２．４秒〜１．６秒までかける。この期間は、ストップランプを点灯させ、後続車にブレーキをかけることを知らせる意義がある。さらに相対速度が下がり、直線ｂの位置に来たときには、拡大領域制動モードとなる（領域（２））。拡大領域制動モードでは、０．３Ｇ程度の制動をＴＴＣ１．６秒〜０．８秒までかける。直線ｃの位置に来たときには、本格制動モードとなる（領域（３））。本格制動モードでは、最大の制動力（０．５Ｇ程度）をＴＴＣ０．８秒〜０秒までかける。図１３のステップＳ１２の計算によれば、このときに衝突が起こることになる。しかし、ステップＳ１２の計算結果よりも実際のＴＴＣは長くなる。
【００４６】
すなわち、本発明が対象とする自動制動制御装置におけるＴＴＣの計算では、精密な距離測定や複雑な演算処理を極力省き、汎用の簡易な距離測定装置（例えば、ミリ波レーダ）や演算装置を用いることを前提としている。このような配慮は、車両の製造コストあるいは維持費を低く抑えるために有用である。
【００４７】
よって、厳密には、対象物である先行車と自車とは、制動（減速）によって等加速度運動を行っているのであるから、ＴＴＣ計算も等加速度運動に基づき計算しなければならないところを、単に等速運動を行っているものとしてＴＴＣを計算することにより、精密な距離測定や複雑な演算処理を省いている。
【００４８】
また、このような等速運動とみなした計算を行うことにより、計算されたＴＴＣの値は実際のＴＴＣの値よりも小さくなるが、これは安全側への誤差であるから容認しても何ら支障はない。
【００４９】
さらに、制動制御開始以前の自車速が１５ｋｍ／ｈ以上であり６０ｋｍ／ｈ未満であるときには、次第に相対距離が短くなり、直線ｂの位置に来たときには、報知モードとなる（領域（４））。報知モードでは、運転者に対して警報表示やブザー音によって、障害物との相対距離が短くなっていることを知らせる。報知モードは、ＴＴＣが１．６秒から開始される。なお、報知モードは、次の本格制動モードにおいても持続させることができる。直線ｃの位置に来たときには、本格制動モードとなる（領域（５））。本格制動モードでは、最大の制動力（０．５Ｇ程度）をＴＴＣ０．８秒〜０秒までかける。
【００５０】
また、図１０は半積時の例であり、図１１は定積時の例であるが、等しい制動力同士で比べれば、積載貨物や乗客の重量が増すにつれて制動距離も長くなるため、操舵回避限界直線および制動回避限界曲線も図の上方にそれぞれ移動する。これにより、領域（１）、（２）、（３）、（４）、（５）の面積は、積載貨物や乗客の重量に応じて大きくなる。
【００５１】
図２における直線ａ〜ｃは、図１０における直線ｄ〜ｆ、図１１における直線ｇ〜ｉに対応し、図２における曲線Ａ、Ｂは、図１０における曲線Ｃ、Ｄ、図１１における曲線Ｅ、Ｆに対応し、図２における黒点Ｇは、図１０における黒点Ｈ、図１１における黒点Ｉに対応する。
【００５２】
本実施例では、図６〜図８に示すように、図２、図１０、図１１に示した空積時、半積時、定積時それぞれの段階的制動制御の途中で運転者による急制動操作が検出された場合には、実行中の段階的制動制御が中止されて緊急制動が実行される。また、制動制御開始以前の自車速が１５ｋｍ／ｈ以上６０ｋｍ／ｈ未満である場合には、図９に示すように、「本格制動」制御の途中で運転者による急制動操作が検出された場合には、実行中の「本格制動」制御が中止されて緊急制動が実行される。
【産業上の利用可能性】
【００５３】
本発明によれば、トラックやバスにおける自動制動制御を実現することができ、交通安全に寄与することができる。特に、自動制動制御開始以降に運転者による急制動操作が有るときと無いときとで制動パターンを変更し、そのときの状況に適した自動制動制御を行うことができる。
【図面の簡単な説明】
【００５４】
【図１】本実施例の制御系統構成図。
【図２】制動制御ＥＣＵが有する空積時の制動パターンを示す図。
【図３】通常制動操作時および急制動操作時のブレーキペダルストロークを示す図。
【図４】急制動操作検出部における急制動操作検出手順を示すフローチャート。
【図５】通常急制動時および緊急制動時のブレーキ圧上昇率を示す図。
【図６】警報制動段階において緊急制動が割り込んだ場合の制動パターンを示す図。
【図７】拡大領域制動段階において緊急制動が割り込んだ場合の制動パターンを示す図。
【図８】本格制動段階において緊急制動が割り込んだ場合の制動パターンを示す図。
【図９】本格制動において緊急制動が割り込んだ場合の制動パターンを示す図。
【図１０】制動制御ＥＣＵが有する半積時の制動パターンを示す図。
【図１１】制動制御ＥＣＵが有する定積時の制動パターンを示す図。
【図１２】制動制御ＥＣＵが有する本格制動パターンを示す図。
【図１３】空積時の制動パターンにおける制動制御ＥＣＵの制御手順を示すフローチャート。
【符号の説明】
【００５５】
１  ミリ波レーダ
２  ステアリングセンサ
３  ヨーレイトセンサ
４  制動制御ＥＣＵ
５  ゲートウェイＥＣＵ
６  メータＥＣＵ
７  ＶｅｈｉｃｌｅＣＡＮ（Ｊ１９３９）
８  エンジンＥＣＵ
９  軸重計
１０  ＥＢＳ＿ＥＣＵ
１１  ブレーキアクチュエータ
１２  エンジン
１３  車速センサ
１４  ブレーキ操作センサ
４０  急制動操作検出部
４１  制動パターン選択部
４２  制動パターン記憶部
【図１】
2007320474.tif 000003
【図２】
2007320474.tif 000004
【図３】
2007320474.tif 000005
【図４】
2007320474.tif 000006
【図５】
2007320474.tif 000007
【図６】
2007320474.tif 000008
【図７】
2007320474.tif 000009
【図８】
2007320474.tif 000010
【図９】
2007320474.tif 000011
【図１０】
2007320474.tif 000012
【図１１】
2007320474.tif 000013
【図１２】
2007320474.tif 000014
【図１３】
2007320474.tif 000015